(57)【要約】【課題】適切な運転技術の評価値を行う。【解決手段】コンピュータに、走行データが取得された走行地域、及び、該走行データが取得された時期及び／又は時間帯を入力として受け付け（Ｓ１４）、受け付けた、走行地域における時期及び／又は時間帯をパラメータとして用いて、運転技術の評価値の値を算出する（Ｓ１４、Ｓ１６，Ｓ２０）、処理を実行させる。【選択図】図６
2015097050.tif 000002
【特許請求の範囲】
【請求項１】
走行データに基づいて運転技術の評価値を算出する評価プログラムであって、
コンピュータに、
前記走行データが取得された走行地域、及び、該走行データが取得された時期及び／又は時間帯を入力として受け付け、
受け付けた、前記走行地域における前記時期及び／又は前記時間帯をパラメータとして用いて、前記運転技術の評価値の値を算出する、
処理を実行させる評価プログラム。
【請求項２】
前記算出する処理では、前記走行地域、前記時期及び／又は前記時間帯が第１の地域、第１の時期及び／又は第１の時間帯の場合に算出される評価値が示す運転技術よりも、前記走行地域、前記時期及び／又は前記時間帯が前記第１の地域、前記第１の時期及び／又は前記第１の時間帯よりも高い混雑度を示す第２の地域、第２の時期及び／又は第２の時間帯の場合に算出される評価値が示す運転技術が、より高い運転技術であることを示すように前記パラメータを用いる、ことを特徴とする請求項１に記載の評価プログラム。
【請求項３】
走行データに基づいて運転技術の評価値を算出する評価方法であって、
コンピュータが、
前記走行データが取得された走行地域、及び、該走行データが取得された時期及び／又は時間帯を入力として受け付け、
受け付けた、前記走行地域における前記時期及び／又は前記時間帯をパラメータとして用いて、前記運転技術の評価値の値を算出する、
処理を実行することを特徴とする評価方法。
【請求項４】
走行データに基づいて運転技術の評価値を算出する評価装置であって、
前記走行データが取得された走行地域、及び、該走行データが取得された時期及び／又は時間帯を入力として受け付ける受け付け部と、
前記受け付け部が受け付けた、前記走行地域における前記時期及び／又は前記時間帯をパラメータとして用いて、前記運転技術の評価値の値を算出する算出部と、
を備える評価装置。
【発明の詳細な説明】
【技術分野】
【０００１】
本発明は、評価プログラム、評価方法及び評価装置に関する。
【背景技術】
【０００２】
従来、車両から取得した実際の速度データに基づいて運転の適正評価基準を求め、これを基準として実際の速度データを評価する技術が知られている（例えば、特許文献１等参照）。
【０００３】
また、運転操作（運転技術）の評価値に対して、車両の走行状況や環境（気象情報や道路種別（一般道（市街地、郊外、山道）、高速道路）、混雑度等）を用いた重み付けや補正を行う技術が知られている（例えば、特許文献２〜４等参照）。
【先行技術文献】
【特許文献】
【０００４】
【特許文献１】特許第３９４４５４９号公報
【特許文献２】特開２０１０−１４４７０１号公報
【特許文献３】特開２００３−３２８８４５号公報
【特許文献４】特開２０１１−８１５５９号公報
【発明の概要】
【発明が解決しようとする課題】
【０００５】
しかしながら、上記特許文献２〜４等の技術では、運転技術の評価値に対する重み付けや補正が不十分であり、運転技術の適切な評価が行えないおそれがある。
【０００６】
１つの側面では、本発明は、適切な運転技術の評価を行うことが可能な評価プログラム、評価方法及び評価装置を提供することを目的とする。
【課題を解決するための手段】
【０００７】
一つの態様では、評価プログラムは、走行データに基づいて運転技術の評価値を算出する評価プログラムであって、コンピュータに、前記走行データが取得された走行地域、及び、該走行データが取得された時期及び／又は時間帯を入力として受け付け、受け付けた、前記走行地域における前記時期及び／又は前記時間帯をパラメータとして用いて、前記運転技術の評価値の値を算出する、処理を実行させる評価プログラムである。
【０００８】
一つの態様では、評価方法は、走行データに基づいて運転技術の評価値を算出する評価方法であって、コンピュータが、前記走行データが取得された走行地域、及び、該走行データが取得された時期及び／又は時間帯を入力として受け付け、受け付けた、前記走行地域における前記時期及び／又は前記時間帯をパラメータとして用いて、前記運転技術の評価値の値を算出する、処理を実行する評価方法である。
【０００９】
一つの態様では、評価装置は、走行データに基づいて運転技術の評価値を算出する評価装置であって、前記走行データが取得された走行地域、及び、該走行データが取得された時期及び／又は時間帯を入力として受け付ける受け付け部と、前記受け付け部が受け付けた、前記走行地域における前記時期及び／又は前記時間帯をパラメータとして用いて、前記運転技術の評価値の値を算出する算出部と、を備えている。
【発明の効果】
【００１０】
適切な運転技術の評価を行うことができる。
【図面の簡単な説明】
【００１１】
【図１】一実施形態に係る評価システムの構成を概略的に示す図である。
【図２】サーバのハードウェア構成を示す図である。
【図３】車載装置及びサーバの機能ブロック図である。
【図４】ドライバ評価指数ＤＢのデータ構造を示す図である。
【図５】図５（ａ）〜図５（ｅ）は、係数テーブルのデータ構造を示す図である。
【図６】サーバが実行する処理を示すフローチャートである。
【図７】評価指数の補正について説明するための表である。
【図８】一実施形態の効果を説明するための表である。
【発明を実施するための形態】
【００１２】
以下、一実施形態に係る評価システムについて、図１〜図８に基づいて詳細に説明する。
【００１３】
図１には、評価システム１００の概略構成が示されている評価システム１００は、車両（トラックなど）を運転するドライバの運転技術を評価するシステムであり、。図１に示すように、複数の車載装置１０と、評価装置としてのサーバ２０と、を備える。複数の車載装置１０とサーバ２０とは、インターネットなどのネットワーク８０に接続されている。
【００１４】
車載装置１０は、車両に搭載されるデジタルタコグラフ（デジタコ）と呼ばれる装置である。車載装置１０は、車両の位置や速度などの各種情報（「走行データ」とも呼ぶ）を所定時間間隔で（例えば、１秒ごとに）検出し、検出した走行データをネットワーク８０を介してサーバ２０に送信する。なお、車載装置１０は、実際には、ネットワーク８０に接続された基地局と無線通信可能な状態となっており、基地局を介してサーバ２０に対して情報を送信する。
【００１５】
ここで、車載装置１０は、ＣＰＵ、ＲＯＭ、ＲＡＭ等を備え、車載装置１０及びサーバ２０の機能ブロック図である図３に示すように、ＣＰＵがプログラムを実行することで、速度情報取得部１２、位置情報取得部１４、及び速度・位置情報送信部１６、としての機能を実現する。
【００１６】
速度情報取得部１２は、車両に設置された不図示の速度センサなどの検出結果から、所定時間間隔（例えば、１秒間隔）で車両の速度を取得する。
【００１７】
位置情報取得部１４は、車両に設置された不図示のＧＰＳ（Global Positioning System）受信機で受信したＧＰＳ衛星からのＧＰＳデータから、車両が位置する緯度及び経度の位置情報を所定時間間隔（例えば、１秒間隔）で取得する。
【００１８】
速度・位置情報送信部１６は、速度情報取得部１２及び位置情報取得部１４において情報（走行データ）が取得されるたびに、当該情報（走行データ）をネットワーク８０を介してサーバ２０（情報取得部２１）に対して送信する。
【００１９】
図１に戻り、サーバ２０は、車載装置１０から送信されてくる情報（走行データ）に基づいて、ドライバのエコ及び安全に関する評価指数（「運転技術の評価値」であるともいえる）を算出する。また、サーバ２０は、情報が送信されていた時期や時間帯、及び情報を取得した地域（走行地域）を用いて、エコ及び安全に関する評価指数を補正し、出力する。
【００２０】
図２には、サーバ２０のハードウェア構成が示されている。図２に示すように、サーバ２０は、ＣＰＵ９０、ＲＯＭ９２、ＲＡＭ９４、記憶部（ここではＨＤＤ（Hard Disk Drive））９６、ネットワークインタフェース９７、表示部９３、入力部９５、及び可搬型記憶媒体用ドライブ９９等を備えており、サーバ２０の構成各部は、バス９８に接続されている。表示部９３は、液晶ディスプレイ等を含み、入力部９５は、キーボードやマウス等を含む。サーバ２０では、ＲＯＭ９２あるいはＨＤＤ９６に格納されているプログラム（評価プログラムを含む）、或いは可搬型記憶媒体用ドライブ９９が可搬型記憶媒体９１から読み取ったプログラム（評価プログラムを含む）をＣＰＵ９０が実行することにより、図３の各部の機能が実現される。
【００２１】
サーバ２０では、ＣＰＵ９０がプログラムを実行することにより、図３に示す情報取得部２１、指数計算部２２、係数取得部２４、算出部としての指数補正部２６、及び出力部２８としての機能が実現されている。なお、図３には、ＨＤＤ９６等に格納されている情報ＤＢ（Database）３０と、ドライバ評価指数ＤＢ３２と、係数テーブル３４Ａ〜３４Ｅも図示されている。
【００２２】
情報取得部２１は、車載装置１０（速度・位置情報送信部１６）から送信されてくる速度情報及び位置情報（走行データ）を受信し、情報ＤＢ３０に格納する。なお、情報ＤＢ３０には、各ドライバの各時刻（１秒毎）の位置情報（緯度、経度）及び速度情報が格納されるものとする。
【００２３】
指数計算部２２は、例えば、特許第３９４４５４９号公報に開示されている方法を用いて、情報ＤＢ３０に格納されている速度情報及び位置情報（情報ＤＢ３０に格納されている情報）から各ドライバの評価指数（エコ及び安全に関する指数）を計算する。指数計算部２２は、計算した結果を、図４に示すドライバ評価指数ＤＢ３２に格納する。なお、本実施形態においては、評価指数は、値が小さいほどエコで安全であり、運転技術が高いことを意味するものとする。
【００２４】
ここで、ドライバ評価指数ＤＢ３２は、図４に示すように、「Ｎｏ」、「ドライバ」、「日付」、「時間帯」、「走行地域」、「走行距離（ｋｍ）」、「指数」の各フィールドを有する。「Ｎｏ」のフィールドには、ドライバに割り振られた識別番号が格納される。「ドライバ」のフィールドには、ドライバの氏名が格納される。「日付」及び「時間帯」のフィールドには、評価指数の計算に用いた走行データが得られた日付、曜日及び時間帯が格納される。「走行地域」のフィールドには、位置情報に対応する地域名が格納される。「走行距離（ｋｍ）」のフィールドには、「走行地域」内を走行した距離が格納される。「指数」には、指数計算部２２によって計算された評価指数が格納される。
【００２５】
図３に戻り、係数取得部２４は、評価指数に対応するドライバの走行地域、時期や時間帯等に関する係数を、評価指数を補正する際のパラメータとして取得する。具体的には、係数取得部２４は、係数テーブル（曜日係数テーブル３４Ａ、時間帯係数テーブル３４Ｂ、月係数テーブル３４Ｃ、特定日係数テーブル３４Ｄ、地域係数テーブル３４Ｅ）から、各評価指数に対応する係数を取得する。ここで、係数テーブル３４Ａ〜３４Ｅは、曜日、時間帯、月、特定日、地域ごとに、評価指標の値を補正するための係数を保持するテーブルであるものとする。本実施形態では、係数テーブル３４Ａ〜３４Ｅに格納されている係数の値が大きいほど混雑度が低く、係数の値が小さいほど混雑度が高いことを意味している。
【００２６】
指数補正部２６は、係数取得部２４が取得した係数を用いて、各ドライバの評価指数を補正（算出）する。
【００２７】
出力部２８は、補正後の評価指数をサーバ２０の表示部９３上に表示するなどして、出力する。
【００２８】
（サーバ２０の処理について）
次に、サーバ２０の処理について、図６のフローチャートに沿って詳細に説明する。なお、図６の処理の前提として、情報ＤＢ３０には、各ドライバの位置情報が１秒毎に格納されているものとする。また、図６の処理は、所定間隔で（例えば、週１回）、バッチ処理にて行われるものとする。
【００２９】
図６の処理では、まず、ステップＳ１０において、指数計算部２２が、未処理のドライバを抽出する。例えば、指数計算部２２は、ドライバに割り振られたＮｏが「００１」のドライバ「富士通 太郎」を抽出したものとする。
【００３０】
次いで、ステップＳ１２では、指数計算部２２が抽出したドライバの位置情報及び速度情報を用いて、特許第３９４４５４９号公報に開示されている方法により、日付及び時間帯別の評価指数を計算し、ドライバ評価指数ＤＢ３２（図４）に格納する。なお、指数計算部２２は、ドライバの位置情報と、位置情報と走行地域とを関連付けて格納するテーブル（不図示）とに基づいて、走行地域を特定し、ドライバ評価指数ＤＢ３２の「走行地域」のフィールドに格納する。ここで、１つの時間帯（１時間）の間に、ドライバが異なる地域を走行する場合もある。この場合には、図４の上から１つ目及び２つ目のレコードのように「指数」のフィールドは結合されることになる。
【００３１】
次いで、ステップＳ１４では、係数取得部２４が、ステップＳ１２で算出された評価指数を補正するための係数を、係数テーブル３４Ａ〜３４Ｅから取得する。例えば、図４のドライバ評価指数ＤＢ３２のドライバ「富士通 太郎」の日付「2013/04/26」の時間帯「10:00-10:59」のレコードの場合、係数取得部２４は、評価指数を補正するためのパラメータとして曜日（金曜日）を取得し（受け付け）、曜日係数として、図５（ａ）の曜日係数テーブル３４Ａから、金曜日の係数（０％）を取得し、図７の表に格納する。また、係数取得部２４は、評価指数を補正するためのパラメータとして時間帯（10:00-10:59）を取得し、時間帯係数として、図５（ｂ）の時間帯係数テーブル３４Ｂから、10:00-10:59の係数（３％）を取得し、図７の表に格納する。また、係数取得部２４は、評価指数を補正するためのパラメータとして月（４月）を取得し、月係数として、図５（ｃ）の月係数テーブル３４Ｃから４月の係数（３％）を取得し、図７の表に格納する。また、係数取得部２４は、評価指数を補正するためのパラメータとして日付（2013/04/26）を取得し、特定日係数として、図５（ｄ）の特定日係数テーブル３４Ｄから2013/04/26の係数（０％）を取得し、図７の表に格納する。更に、係数取得部２４は、評価指数を補正するためのパラメータとして走行地域（川崎、東京西南）を取得し、地域係数として、図５（ｅ）の地域係数テーブル３４Ｅから川崎の係数（３％）及び東京西南の係数（０％）を取得し、図７の表に格納する。なお、地域が複数ある場合には、係数取得部２４は、取得した複数の地域係数の平均値を算出するものとする。なお、係数取得部２４は、ドライバ評価指数ＤＢ３２に格納されているその他のレコードについても、係数を取得し、図７の表に格納する。
【００３２】
そして、係数取得部２４は、各レコードの各係数の合計を算出し、図７の表の「加算％」のフィールドに格納する。なお、本実施形態では、混雑度が高い時期、混雑度が高い地域を走行した場合ほど「加算％」の値は小さくなる。
【００３３】
図６に戻り、次のステップＳ１６では、指数補正部２６が、係数をもとに評価指数を補正する。この場合、指数補正部２６は、図７の１つ目のレコードであれば、補正前指数「１４３」に７．５％分を加算（１４３×１．０７５）した値「１５４」を補正後指数とする。その他の補正前指数についても同様の補正を行うことで、補正後指数を算出する。なお、本実施形態では、指数補正部２６は、混雑度が低い傾向にあるほど（快適に運転できる場合ほど）評価指数を大きく補正し、混雑度が高い傾向にあるほど（発進や停止を繰り返す場合ほど）、評価指数を小さく補正するため、例えば同一の補正前指数であっても、混雑度が高い蛍光にある地域や時期、時間帯を走行した場合ほどエコで安全な運転技術と評価することができる。これにより、走行地域や時期などに応じた適切な評価指数の補正を行うことができる。
【００３４】
次いで、ステップＳ１８では、指数計算部２２が、ほかに未処理のドライバが存在するか否かを判断する。ここでの判断が肯定された場合には、ステップＳ１０に戻り、未処理のドライバに関し、ステップＳ１０〜Ｓ１６の処理を実行する。一方、ステップＳ１８の判断が否定された場合には、ステップＳ２０に移行する。
【００３５】
ステップＳ２０に移行すると、出力部２８は、補正後の評価指数を出力する。ここで、出力部２８は、ユーザ（管理者等）からの要求に応じた方式で、補正後の評価指数を出力（例えば、表示部９３上に表示）することができる。例えば、出力部２８は、あるドライバの評価指数の変遷を出力することができる。また、出力部２８は、あるドライバとその他のドライバとの評価指数を比較可能な状態で出力することもできる。
【００３６】
なお、これまでの説明から明らかなように、本実施形態では、係数取得部２４により、走行データが取得された走行地域、及び、走行データが取得された時期及び／又は時間帯を入力として受け付ける受け付け部、受け付け部が受け付けた、走行地域における時期及び／又は時間帯を、運転技術の評価値の値を算出する際のパラメータとして決定する決定部、としての機能が実現されている。
【００３７】
以上、詳細に説明したように、本実施形態によると、係数取得部２４は、ドライバの位置情報及び速度情報（走行データ）が取得された走行地域、及び、時期（月、曜日、特定日）や時間帯を取得し、取得した走行地域における時期や時間帯を評価指数を算出（補正）する際のパラメータとして取得（すなわち、走行地域における時期や時間帯の各係数を取得）し、指数補正部２６は、走行地域、時期や時間帯の係数を用いて算出（補正）する。これにより、指数補正部２６は、走行地域のみならず、日付や曜日、時間帯等に応じた走行地域の道路状況（混雑の傾向）の変化を考慮した、適切な評価指標の補正を行うことが可能である。この場合、指数補正部２６は、例えば、図８に示すように、補正前指数が同一である場合でも、走行地域、時期や時間帯を考慮して補正前指数（評価指数）を補正するため、走行地域、時期や時間帯を反映させた適切な評価指数（補正後指数）や補正後指数の順位等を算出することができる。
【００３８】
また、本実施形態では、指数補正部２６は、走行地域、及び時期や時間帯が高い混雑度を示すほど、評価指数を小さく補正（すなわち、高い運転技術（エコ及び安全な運転技術）であることを示すように補正）している。これにより、ある地域及び時々刻々と変化する道路状況（混雑度）の傾向を反映させた適切な評価指標を得ることができる。
【００３９】
なお、上記実施形態では、指数補正部２６は、評価指数を走行地域と、曜日、時間帯、月、特定日とに基づいて補正する場合について説明したが、これに限られるものではない。指数補正部２６は、走行地域と、曜日、時間帯、月、特定日の少なくとも１つとに基づいて補正することとしてもよい。
【００４０】
なお、上記実施形態では、係数取得部２４で取得された係数を加算した値（加算％）を用いて、評価指数を補正する場合について説明したが、これに限らず、その他の方法により、各係数から評価指数を補正するための値を求めることとしてもよい。
【００４１】
なお、上記の処理機能は、コンピュータによって実現することができる。その場合、処理装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【００４２】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【００４３】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００４４】
上述した実施形態は本発明の好適な実施の例である。但し、これに限定されるものではなく、本発明の要旨を逸脱しない範囲内において種々変形実施可能である。
【００４５】
なお、以上の実施形態の説明に関して、更に以下の付記を開示する。
（付記１）  走行データに基づいて運転技術の評価値を算出する評価プログラムであって、
コンピュータに、
前記走行データが取得された走行地域、及び、該走行データが取得された時期及び／又は時間帯を入力として受け付け、
受け付けた、前記走行地域における前記時期及び／又は前記時間帯をパラメータとして用いて、前記運転技術の評価値の値を算出する、
処理を実行させる評価プログラム。
（付記２）  前記算出する処理では、前記走行地域、前記時期及び／又は前記時間帯が第１の地域、第１の時期及び／又は第１の時間帯の場合に算出される評価値が示す運転技術よりも、前記走行地域、前記時期及び／又は前記時間帯が前記第１の地域、前記第１の時期及び／又は前記第１の時間帯よりも高い混雑度を示す第２の地域、第２の時期及び／又は第２の時間帯の場合に算出される評価値が示す運転技術が、より高い運転技術であることを示すように前記パラメータを用いる、ことを特徴とする付記１に記載の評価プログラム。
（付記３）  走行データに基づいて運転技術の評価値を算出する評価方法であって、
コンピュータが、
前記走行データが取得された走行地域、及び、該走行データが取得された時期及び／又は時間帯を入力として受け付け、
受け付けた、前記走行地域における前記時期及び／又は前記時間帯をパラメータとして用いて、前記運転技術の評価値の値を算出する、
処理を実行することを特徴とする評価方法。
（付記４）  前記算出する処理では、前記走行地域、前記時期及び／又は前記時間帯が第１の地域、第１の時期及び／又は第１の時間帯の場合に算出される評価値が示す運転技術よりも、前記走行地域、前記時期及び／又は前記時間帯が前記第１の地域、前記第１の時期及び／又は前記第１の時間帯よりも高い混雑度を示す第２の地域、第２の時期及び／又は第２の時間帯の場合に算出される評価値が示す運転技術が、より高い運転技術であることを示すように前記パラメータを用いる、ことを特徴とする付記３に記載の評価方法。
（付記５）  走行データに基づいて運転技術の評価値を算出する評価装置であって、
前記走行データが取得された走行地域、及び、該走行データが取得された時期及び／又は時間帯を入力として受け付ける受け付け部と、
前記受け付け部が受け付けた、前記走行地域における前記時期及び／又は前記時間帯をパラメータとして用いて、前記運転技術の評価値の値を算出する算出部と、を備える評価装置。
（付記６）  前記算出部は、前記走行地域、前記時期及び／又は前記時間帯が第１の地域、第１の時期及び／又は第１の時間帯の場合に算出される評価値が示す運転技術よりも、前記走行地域、前記時期及び／又は前記時間帯が前記第１の地域、前記第１の時期及び／又は前記第１の時間帯よりも高い混雑度を示す第２の地域、第２の時期及び／又は第２の時間帯の場合に算出される評価値が示す運転技術が、より高い運転技術であることを示すように前記パラメータを用いる、ことを特徴とする付記５に記載の評価装置。
【符号の説明】
【００４６】
２０  サーバ（評価装置）
２４  係数取得部（受け付け部、算出部の一部）
２６  指数補正部（算出部）
２８  出力部
【図１】
2015097050.tif 000003
【図２】
2015097050.tif 000004
【図３】
2015097050.tif 000005
【図４】
2015097050.tif 000006
【図５】
2015097050.tif 000007
【図６】
2015097050.tif 000008
【図７】
2015097050.tif 000009
【図８】
2015097050.tif 000010